(57)【特許請求の範囲】
【請求項１】
足裏支持面を備え、踵寄りの部分に形成される回動軸線まわりで回動可能なフットレスト部と、
前記フットレスト部に取り付けられるヒータと、
前記ヒータを挟んで前記足裏支持面とは反対側に配置され、前記フットレスト部におけるつま先寄りの部分を押すことにより前記フットレスト部を前記回動軸線まわりで回動させるエアバッグとを備え、
前記回動軸線まわりで前記フットレスト部が回動するように前記足裏支持面に力が加えられる場合に、前記フットレスト部が前記足裏支持面に前記力が加えられてない場合と実質的に同一の姿勢または類似する姿勢を取るように前記エアバッグが前記フットレスト部を押す
マッサージ機。
【請求項２】
足裏支持面を備え、踵寄りの部分に形成される回動軸線まわりで回動可能なフットレスト部と、
前記フットレスト部に取り付けられるヒータと、
前記ヒータを挟んで前記足裏支持面とは反対側に配置され、前記フットレスト部におけるつま先寄りの部分を押すことにより前記フットレスト部を前記回動軸線まわりで回動させるエアバッグとを備え、
前記回動軸線まわりで前記フットレスト部が回動するように前記足裏支持面に力が加えられる場合に、前記力に抗して前記つま先寄りの部分を持ち上げるように前記エアバッグが前記フットレスト部を押す
マッサージ機。
【請求項３】
前記足裏支持面に加えられる力により前記つま先寄りの部分が前記エアバッグ側に傾斜したことに応じて前記エアバッグが前記フットレスト部を押す
請求項１または２に記載のマッサージ機。
【請求項４】
脚部支持面を備えるレッグレスト部をさらに備え、
前記フットレスト部は前記レッグレスト部に連結され、前記回動軸線まわりで前記レッグレスト部に対して回転可能であり、
前記エアバッグは前記足裏支持面と前記脚部支持面との間に形成される角度が小さくなるように前記フットレスト部を押す
請求項１〜３のいずれか一項に記載のマッサージ機。
【請求項５】
前記フットレスト部は前記ヒータを覆うカバーを備え、
前記カバーは熱伝導性の高い材料により形成される
請求項１〜４のいずれか一項に記載のマッサージ機。
【請求項６】
前記フットレスト部は前記ヒータを覆うカバーを備え、
前記カバーは互いに独立して形成される第１織物および第２織物を備え、
前記第２織物は前記第１織物における前記足裏支持面と対応する部分に取り付けること、および、その部分から取り外すことが可能である
請求項１〜４のいずれか一項に記載のマッサージ機。
【請求項７】
前記カバーは金属粉が織り込まれた織物により形成される
請求項５または６に記載のマッサージ機。
【請求項８】
前記金属粉は銀である
請求項７に記載のマッサージ機。
【発明の詳細な説明】
【技術分野】
【０００１】
本発明は、使用者の足先を保持するフットレスト部を備えるマッサージ機に関する。
【背景技術】
【０００２】
従来、例えば施療子の一種である揉み玉による叩き動作等によって使用者の身体を揉みほぐす機械としてマッサージ機が広く知られている。また、近年では、こうしたマッサージ機において、使用者の身体に接触する接触部分に熱源であるヒータを備え、マッサージを行いつつ使用者の身体に温熱を付与して温熱施療を行うマッサージ機が開発されている（例えば、特許文献１参照）。
【０００３】
この特許文献１に記載のマッサージ機には、使用者の足先が挿入される凹部の底壁の裏面にヒータが配備されると共に、この凹部の側壁にエアバッグが配備されている。そして、使用者の足先が凹部に挿入された状態でエアバッグの膨張動作と収縮動作を反復して行うことにより、使用者の足先の側面や甲に対するマッサージ動作を行いつつ、使用者の足裏に対する温熱施療を行うようになっている。
【先行技術文献】
【特許文献】
【０００４】
【特許文献１】特開２０１０−１７２５２８号公報
【発明の概要】
【発明が解決しようとする課題】
【０００５】
しかしながら、特許文献１に記載のマッサージ機では、使用者の着座姿勢の変化に伴って、使用者の足先が凹部内においてヒータから離間するように動いてしまうと、使用者の足裏に対してヒータによる温熱を十分に付与することができなくなる虞があった。
【０００６】
本発明の目的は使用者の足先に対する熱施療を良好に実施可能なマッサージ機を提供することである。
【課題を解決するための手段】
【０００７】
本発明に従うマッサージ機の一形態は、足裏支持面を備え、踵寄りの部分に形成される回動軸線まわりで回動可能なフットレスト部と、前記フットレスト部に取り付けられるヒータと、前記ヒータを挟んで前記足裏支持面とは反対側に配置され、前記フットレスト部におけるつま先寄りの部分を押すことにより前記フットレスト部を前記回動軸線まわりで回動させるエアバッグとを備え、前記回動軸線まわりで前記フットレスト部が回動するように前記足裏支持面に力が加えられる場合に、前記フットレスト部が前記足裏支持面に前記力が加えられてない場合と実質的に同一の姿勢または類似する姿勢を取るように前記エアバッグが前記フットレスト部を押す。
本発明に従うマッサージ機の別の一形態は、足裏支持面を備え、踵寄りの部分に形成される回動軸線まわりで回動可能なフットレスト部と、前記フットレスト部に取り付けられるヒータと、前記ヒータを挟んで前記足裏支持面とは反対側に配置され、前記フットレスト部におけるつま先寄りの部分を押すことにより前記フットレスト部を前記回動軸線まわりで回動させるエアバッグとを備え、前記回動軸線まわりで前記フットレスト部が回動するように前記足裏支持面に力が加えられる場合に、前記力に抗して前記つま先寄りの部分を持ち上げるように前記エアバッグが前記フットレスト部を押す。
【発明の効果】
【００１３】
上記マッサージ機は使用者の足先に対する熱施療を良好に実施できる。
【図面の簡単な説明】
【００１４】
【図１】は第１実施形態のマッサージ機の斜視図である。
【図２】は図１のフットレスト部の斜視図である。
【図３】は図１のオットマンの内部の斜視図である。
【図４】は図３のオットマンの側面図である（ａ：最上方位置、ｂ：最下方位置）。
【図５】は図３のオットマンの側面図である（ａ：足先挿入前、ｂ：足先挿入後）。
【図６】は第２実施形態のマッサージ機の側面図である。
【図７】は図６のオットマンの側面図（ａ：足先挿入時、ｂ：エアバッグ膨張時）。
【発明を実施するための形態】
【００１５】
（マッサージ機が取り得る形態の一例）
〔１〕本発明に従うマッサージ機の一形態は、足裏支持面を備え、踵寄りの部分に形成される回動軸線まわりで回動可能なフットレスト部と、前記フットレスト部に取り付けられるヒータと、前記ヒータを挟んで前記足裏支持面とは反対側に配置され、前記フットレスト部におけるつま先寄りの部分を押すことにより前記フットレスト部を前記回動軸線まわりで回動させるエアバッグとを備え、前記回動軸線まわりで前記フットレスト部が回動するように前記足裏支持面に力が加えられる場合に、前記フットレスト部が前記足裏支持面に前記力が加えられてない場合と実質的に同一の姿勢または類似する姿勢を取るように前記エアバッグが前記フットレスト部を押す。
〔２〕本発明に従うマッサージ機の別の一形態は、足裏支持面を備え、踵寄りの部分に形成される回動軸線まわりで回動可能なフットレスト部と、前記フットレスト部に取り付けられるヒータと、前記ヒータを挟んで前記足裏支持面とは反対側に配置され、前記フットレスト部におけるつま先寄りの部分を押すことにより前記フットレスト部を前記回動軸線まわりで回動させるエアバッグとを備え、前記回動軸線まわりで前記フットレスト部が回動するように前記足裏支持面に力が加えられる場合に、前記力に抗して前記つま先寄りの部分を持ち上げるように前記エアバッグが前記フットレスト部を押す。
〔３〕前記マッサージ機の一例によれば、前記足裏支持面に加えられる力により前記つま先寄りの部分が前記エアバッグ側に傾斜したことに応じて前記エアバッグが前記フットレスト部を押す。
〔４〕前記マッサージ機の一例によれば、脚部支持面を備えるレッグレスト部をさらに備え、前記フットレスト部は前記レッグレスト部に連結され、前記回動軸線まわりで前記レッグレスト部に対して回転可能であり、前記エアバッグは前記足裏支持面と前記脚部支持面との間に形成される角度が小さくなるように前記フットレスト部を押す。
〔５〕前記マッサージ機の一例によれば、前記フットレスト部は前記ヒータを覆うカバーを備え、前記カバーは熱伝導性の高い材料により形成される。
〔６〕前記マッサージ機の一例によれば、前記フットレスト部は前記ヒータを覆うカバーを備え、前記カバーは互いに独立して形成される第１織物および第２織物を備え、前記第２織物は前記第１織物における前記足裏支持面と対応する部分に取り付ける。
〔７〕前記マッサージ機の一例によれば、前記カバーは金属粉が織り込まれた織物により形成される。
〔８〕前記マッサージ機の一例によれば、前記金属粉は銀である。
【００１６】
（第１実施形態）
以下、本発明を具体化した第１実施形態を図面に従って説明する。
図１に示すように、本実施形態のマッサージ機１０は、図示しない床面上等に載置される脚部１１を備え、その脚部１１の上部には使用者が着座可能な座部１２が固定されている。また、座部１２の後部には、使用者が背中をもたれ掛けさせるための背もたれ部１３が傾動可能に設けられる一方、座部１２の前部には、使用者の脚を載せることができるオットマン１４が設けられている。そして、座部１２の両側には、使用者が腕を置くための左右一対の肘掛け部１５が背もたれ部１３から座部１２の前方にかけて設けられている。
背もたれ部１３は、前面が開口された硬質樹脂材料からなる図示しない本体ケースを有する背もたれ部本体１３ａと、この背もたれ部本体１３ａの少なくとも前面を覆うカバー部１３ｂとで構成される。背もたれ部本体１３ａの本体ケース内には、背もたれ部１３の上下方向に沿って図示しないガイドレールが設けられるとともに、このガイドレールに沿って上下方向に移動可能にマッサージ機構２０が組み付けられている。
【００１７】
マッサージ機構２０は、２次元方向または３次元方向に動作される施療子２０ａを備えている。そして、これらの施療子２０ａが前方に移動してカバー部１３ｂの内面と摺接し、施療子２０ａがカバー部１３ｂを介して使用者の肩や背中、腰等の施療部位に、揉みや叩き等のマッサージを施すようになっている。
【００１８】
オットマン１４は、使用者の脚部のうち下腿部分を保持するためのレッグレスト部２１と、足先部分の足裏部分を保持するためのフットレスト部２２とを別体に備えている。ここでの「下腿部分」は膝から足首までの部分を意味し、「足先部分」は足首から先の部分を意味している。
【００１９】
レッグレスト部２１は、使用者の下腿部分の裏側（脹脛）から保持可能な２つの脚部支持面としての脹脛支持面２３（図３参照）と、各脹脛支持面２３の左右両側から延出する側壁２４とを有している。そして、各側壁２４の間には、使用者の脚部（下腿）を挿入可能となっている。また、各側壁２４には、使用者の左右の脚部に対応して膨縮動作が可能なエアバッグ２５が内装されている。
【００２０】
図１及び図２に示すように、フットレスト部２２は、使用者の足裏部分を支持可能な２つの足裏支持面２６と、この足裏支持面２６の左右両側から延出する側壁２７とを有している。そして、フットレスト部２２において左右両側の足裏支持面２６の間に位置する側壁２７の後端部には、図３に示すコイルスプリング５３を挿通可能な挿通部２８（図２参照）が形成されている。また、フットレスト部２２の各足裏支持面２６には、使用者の左右の足裏部分に温熱を付与するヒータ２９が設けられている。
【００２１】
また、図２に示すように、フットレスト部２２には、該フットレスト部２２の全体を覆う第１織物としての第１カバー３０と、第１カバー３０のうち各足裏支持面２６に対応する部分を覆う２枚の第２織物としての第２カバー３１とが設けられている。なお、第１カバー３０及び第２カバー３１は、銀が織り込まれた織物によってそれぞれ構成されている。また、第１カバー３０において各足裏支持面２６の前後方向の両端部に対応する部分には、第１面ファスナー３２がそれぞれ設けられている。一方、第２カバー３１における前後方向の両端部には、第２面ファスナー３３がそれぞれ設けられている。そして、第２カバー３１は、第１カバー３０に対して着脱自在に取り付けられるようになっている。
【００２２】
次に、オットマン１４の内部構成について説明する。
図３に示すように、レッグレスト部２１の内部に収納されたレッグフレーム体４１は、下側が開放した略Ｕ字状をなす第１フレーム部４１ａと、該第１フレーム部４１ａにおける左右両側フレーム部分の下方寄りの部位間を幅方向となる左右方向に架橋する第２フレーム部４１ｂとを有しており、前側から見た場合に全体として略四角環状をなすように構成されている。一方、フットレスト部２２の内部に収納されたフットフレーム体４２は、略Ｕ字状をなす前後一対のフレーム部４２ａ，４２ｂを有しており、上側から見た場合に両フレーム部４２ａ，４２ｂが互いに開放した側を対向させて連結された全体として略四角環状をなすように構成されている。そして、レッグフレーム体４１における第１フレーム部４１ａの左右両側フレーム部分の下端部には、フットフレーム体４２における各フレーム部４２ａ，４２ｂが左右一対の連結支持部４３を介して回動可能に連結されている。
【００２３】
連結支持部４３は、レッグフレーム体４１から前方斜め下方に向けて延設された第１連結部材４４と、フットフレーム体４２から後方斜め上方に向けて延設された第２連結部材４５と、両連結部材４４，４５の各先端側部分において互いに重ね合う部位に左右方向へ貫通形成された挿通孔４６に対して水平に挿通される回動軸４７とを有している。なお、第１連結部材４４の先端部には、それぞれ左右方向に沿う平面であって、且つ一方が挿通孔４６よりも後側上方に位置すると共に他方が挿通孔４６よりも前側下方に位置して互いに直交した関係にある第１当接面４８と第２当接面４９が形成されている。その一方、第２連結部材４５には、回動軸４７の軸方向でもある左右方向に沿う平面であって、且つ第２連結部材４５の延設方向において挿通孔４６が形成された位置よりも一端側及び他端側の双方に向けて延びるストッパ面５０が形成されている。
【００２４】
また、レッグフレーム体４１の第２フレーム部４１ｂにおける幅方向（左右方向）の略中央となる位置には、取付金具５１が鉛直上方に延びるように取着されている。一方、フットフレーム体４２のフレーム部４２ｂにおける左右方向の略中央となる位置からは、アーム状をなす取付金具５２が前方斜め上方に向けて延設されている。そして、これらの取付金具５１，５２は、左右方向において略同一となる位置に配置されている。また、これらの取付金具５１，５２の先端部の間には、フットフレーム体４２を後方斜め上方に向けて付勢する付勢手段としてのコイルスプリング５３が介設されている。
【００２５】
そして、図４（ａ）に示すように、常には、コイルスプリング５３の付勢力によりフットフレーム体４２が回動軸４７を中心として同図における時計方向に回動し、第２連結部材４５のストッパ面５０が第１連結部材４４の先端部において左右方向及び前後方向に沿う第１当接面４８に対して当接するようになっている。すなわち、使用者の足先６１がフットレスト部２２に挿入されていない場合には、第２連結部材４５のストッパ面５０が第１連結部材４４の第１当接面４８に対して当接し、レッグフレーム体４１とフットフレーム体４２とが略直交した位置関係となる。
【００２６】
一方、図４（ｂ）に示すように、コイルスプリング５３の付勢力に抗してフットフレーム体４２が回動軸４７を中心として同図における反時計方向に回動した場合には、第２連結部材４５のストッパ面５０が第１連結部材４４の先端部において左右方向及び上下方向に沿う第２当接面４９に対して当接するようになっている。すなわち、この場合は、第２連結部材４５のストッパ面５０が第１連結部材４４の第２当接面４９に対して当接し、レッグフレーム体４１とフットフレーム体４２とが略平行な位置関係となる。
【００２７】
なお、本実施形態では、第１連結部材４４において第１当接面４８と第２当接面４９とが成す角度は約９０度となっており、この角度がレッグフレーム体４１に対してフットフレーム体４２が相対回動可能とされる回動角度に相当している。そして、フットフレーム体４２は、レッグフレーム体４１に対して略直交する姿勢とレッグフレーム体４１に対して略平行となる姿勢との間で、連結支持部４３の回動軸４７の回動軸線Ｓ１を中心として相対回動するようになっている。
【００２８】
また、図４（ａ）及び図４（ｂ）に示すように、コイルスプリング５３からフットフレーム体４２に対して作用する張力の作用線は、フットフレーム体４２がレッグフレーム体４１に対して相対回動可能とされる可動範囲内において、フットフレーム体４２の回動中心となる連結支持部４３の回動軸４７の回動軸線Ｓ１よりも上方に位置している。そのため、コイルスプリング５３は、常には、フットフレーム体４２をレッグフレーム体４１に対して重ね合わせるようにして、連結支持部４３の回動軸４７の回動軸線Ｓ１を中心としてフットフレーム体４２を上方に引き上げる回動方向に付勢するようになっている。その結果、フットレスト部２２において使用者の足裏を支持する足裏支持面２６は、レッグレスト部２１において使用者の脹脛を支持する脹脛支持面２３に対して交差する角度が小さくなる回動方向にコイルスプリング５３によって付勢されている。
【００２９】
次に、上記のように構成されたマッサージ機１０の作用について、特に、使用者の足先６１がフットレスト部２２に挿入される際の作用に着目して以下説明する。
さて、図５（ａ）に示すように、使用者の足先６１が挿入される前の状態では、コイルスプリング５３の付勢力に従ってフットフレーム体４２が上方に引き上げられている。この場合、フットフレーム体４２側に設けられた第２連結部材４５のストッパ面５０が、レッグフレーム体４１側に設けられた第１連結部材４４の第１当接面４８に当接して係止することにより、レッグフレーム体４１とフットフレーム体４２とが略直交した位置関係で保持される。
【００３０】
続いて、図５（ｂ）に示すように、座部１２に着座した使用者の足先６１が上方からフットレスト部２２に対して挿入されると、使用者の足先６１は、フットレスト部２２に設けられたヒータ２９を下方に押圧する。そして、使用者の足先６１によって押圧されるフットレスト部２２に収納されたフットフレーム体４２は、コイルスプリング５３の付勢力に抗して連結支持部４３の回動軸４７の回動軸線Ｓ１を中心として同図における反時計方向（すなわち、下方側）に回動する。
【００３１】
この場合、フットフレーム体４２には、コイルスプリング５３の付勢力に基づき、使用者の足先６１からの押圧力に抗するように、連結支持部４３の回動軸４７の回動軸線Ｓ１を中心とした同図における時計方向（すなわち、上方側）への回動力が反力として作用する。そのため、フットフレーム体４２を収納するフットレスト部２２には、コイルスプリング５３からフットフレーム体４２を通じて上方側への反力が作用する。その結果、フットレスト部２２に設けられたヒータ２９は、使用者の足先６１に対して密着した状態となるため、ヒータ２９の発熱に伴ってヒータ２９から使用者の足先６１に対して温熱が良好に付与される。
【００３２】
特に、本実施形態では、フットフレーム体４２の回動中心となる連結支持部４３の回動軸４７の回動軸線Ｓ１は、フットレスト部２２に挿入される使用者の足先６１における踵寄りとなる部分に位置している。そのため、フットフレーム体４２がこの回動軸線Ｓ１を中心として回動すると、回動軸線Ｓ１に近接する使用者の足先６１における踵寄りの部分が固定された状態で、回動軸線Ｓ１から離間した使用者の足先６１におけるつま先寄りの部分が上方に押圧される。したがって、使用者の足先６１には、ヒータ２９からの温熱付与に併せてストレッチ効果が付与される。
【００３３】
上記第１実施形態によれば、以下に示す効果を得ることができる。
（１）フットレスト部２２が使用者の足先６１に密着する方向に付勢されることに伴って、ヒータ２９がフットレスト部２２に保持された使用者の足先６１に対して温熱を十分に付与できるようになる。したがって、使用者の足先６１に対して良好に温熱施療を行うことができる。
【００３４】
（２）使用者の足先６１がフットレスト部２２に保持された状態で、フットレスト部２２が回動軸４７を中心として回動すると、特に、回動軸４７から離間した使用者の足先６１におけるつま先寄り部分がフットレスト部２２を介して押圧される。そのため、使用者の足先６１に対して温熱付与に併せてストレッチ効果を付与することができる。
【００３５】
（３）コイルスプリング５３は、フットレスト部２２において使用者の足裏を支持する足裏支持面２６が、レッグレスト部２１において使用者の脹脛を支持する脹脛支持面２３に対して交差する角度が小さくなる回動方向に、フットレスト部２２を付勢する。そして、コイルスプリング５３がフットレスト部２２を付勢すると、フットレスト部２２の足裏支持面２６は使用者の足先６１を押し上げる方向に変位する。そのため、使用者の足先６１に対してフットレスト部２２に設けられたヒータ２９を良好に密着させる構成を容易に実現することができる。
【００３６】
（４）ヒータ２９を覆う第１カバー３０及び第２カバー３１は、熱伝導性の高い材料によって構成されている。そのため、ヒータ２９からの使用者の足先６１に対する温熱施療を維持しつつ、使用者の足先６１からの押圧負荷に対してヒータ２９を保護することができる。
【００３７】
（５）第１カバー３０及び第２カバー３１は、金属粉が織り込まれた織物によって構成されている。そのため、熱伝導性の高い織物によって第１カバー３０及び第２カバー３１を構成することができる。
【００３８】
（６）第１カバー３０及び第２カバー３１は、銀が織り込まれた織物によって構成されている。そのため、第１カバー３０及び第２カバー３１が消臭作用を有するものとなるため、マッサージ機１０の使用に伴いフットレスト部２２から汗等の臭いが発生することを抑制できる。また、第１カバー３０及び第２カバー３１が抗菌作用を有するものとなるため、マッサージ機１０の使用に伴いフットレスト部２２に雑菌が繁殖することを抑制できる。さらに、第１カバー３０及び第２カバー３１が高い熱伝導性を有するものとなるため、ヒータ２９から使用者の足先６１に対して良好に温感作用を付与することができる。
【００３９】
（７）第２カバー３１は、第１カバー３０の表面において使用者の足裏に対応する部分に着脱可能に重ね合わされている。そのため、マッサージ機１０の使用に伴い汚れやすい部分である足裏に対応する部分に位置する第２カバー３１を容易に交換することができる。
【００４０】
（第２実施形態）
次に、本発明の第２実施形態について図６及び図７に基づき説明する。なお、第２実施形態は、フットレスト部２２を使用者の足先６１に密着させる方向に付勢するための構成が第１実施形態と異なる。したがって、以下の説明においては、第１実施形態と相違する構成について主に説明するものとし、第１実施形態と同一又は相当する構成については同一符号を付して重複説明を省略するものとする。
【００４１】
さて、図６に示すように、本実施形態のレッグレスト部２１の後面の下端部には、側面視略Ｌ字状をなす延出部材７０が連結されている。延出部材７０は、レッグレスト部２１側を基端側として鉛直下方に延びるとともに、フットレスト部２２よりも下方となる途中位置で前方に向けて略直角に屈曲した構成をなしている。そして、延出部材７０の先端部の上面とフットレスト部２２の下面との間には、付勢手段としてのエアバッグ７１が介設されている。より詳しくは、このエアバッグ７１は、フットレスト部２２におけるその回動中心となる回動軸線Ｓ１よりも前端側部分を上方に付勢可能に構成されている。
【００４２】
そして、本実施形態のマッサージ機１０では、図７（ａ）に示すように、座部１２に着座した使用者の足先６１が上方からフットレスト部２２に対して挿入されると、使用者の足先６１によりフットレスト部２２に設けられたヒータ２９が下方に押圧される。そして、使用者の足先６１によって押圧されたフットレスト部２２は、回動軸線Ｓ１を中心として同図における反時計方向（すなわち、下方側）に回動する。
【００４３】
続いて、ヒータ２９を挟んで使用者の足先６１とは反対側に配置されたエアバッグ７１の膨張動作が行われる。すると、フットレスト部２２は、使用者の足先６１からの押圧力に抗するようにエアバッグ７１から上方に向けて押圧力が作用することにより、回動軸線Ｓ１を中心として同図における時計方向（すなわち、上方側）に回動する。その結果、フットレスト部２２に設けられたヒータ２９は、使用者の足先６１に対して密着した状態となるため、ヒータ２９の発熱に伴ってヒータ２９から使用者の足先６１に対して温熱が良好に付与されるようになる。
【００４４】
また、フットレスト部２２が回動軸線Ｓ１を中心として回動すると、回動軸線Ｓ１に近接する使用者の足先６１における踵寄りの部分が固定された状態で、回動軸線Ｓ１から離間した使用者の足先６１におけるつま先寄りの部分が上方に押圧される。したがって、使用者の足先６１には、ヒータ２９からの温熱付与に併せてストレッチ効果が付与される。
【００４５】
特に、本実施形態では、エアバッグ７１からフットレスト部２２に作用する付勢力は、フットレスト部２２の回動中心となる回動軸線Ｓ１よりも前方寄りのフットレスト部２２における前端側部分に対して作用する。そして、フットレスト部２２には、エアバッグ７１からの押圧力に基づき、回動軸線Ｓ１を中心とした回転モーメントが大きく作用する。そのため、エアバッグ７１からフットレスト部２２に作用する付勢力に基づいて、フットレスト部２２に設けられたヒータ２９は、使用者の足先６１におけるつま先寄りの部分に対してより強固に密着した状態となる。したがって、ヒータ２９の発熱に伴ってヒータ２９から使用者の足先６１におけるつま先寄りの部分に対して温熱がより良好に付与されるようになる。また、エアバッグ７１の膨張動作に伴って使用者の足先６１に対してより確実にストレッチ効果が付与される。
【００４６】
上記第２実施形態によれば、上記第１実施形態の効果（１），（２），（４）〜（７）に加えて、以下に示す効果を得ることができる。
（８）エアバッグ７１からフットレスト部２２に作用する付勢力は、フットレスト部２２の回動軸線Ｓ１から大きく離間した部位に作用するため、フットレスト部２２には、回動軸線Ｓ１を中心とした回転モーメントが大きく作用する。そのため、エアバッグ７１は、大きな付勢力を要することなく、フットレスト部２２に設けられたヒータ２９を使用者の足先６１に対して良好に密着させることができる。
【００４７】
（９）エアバッグ７１は、ヒータ２９を挟んで使用者の足先６１とは反対側に配置される。そのため、エアバッグ７１の膨張動作が行われると、ヒータ２９における使用者の足先６１に対する密着性が向上するため、使用者の足先６１に対して更に良好に温熱施療を行うことができる。
【００４８】
なお、上記各実施形態は、以下のような別の実施形態に変更してもよい。
・上記各実施形態において、第２カバー３１を省略してもよい。この場合、第１カバー３０から第１面ファスナー３２を省略する構成を採用できる。
【００４９】
・上記各実施形態において、銀に代えてアルミニウム等の他の金属粉が織り込まれた織物により第１カバー３０及び第２カバー３１のうち少なくとも一方を構成してもよい。
・上記各実施形態において、金属粉が織り込まれていない織物により第１カバー３０及び第２カバー３１のうち少なくとも一方を構成してもよい。
【００５０】
・上記第２実施形態において、マッサージ機１０の脚部１１から前方に延出するように延出部材を設けるとともに、この延出部材とフットレスト部２２との間にエアバッグ７１を介設するようにしてもよい。
【００５１】
・上記第１実施形態において、ヒータ２９を挟んで使用者の足先６１とは反対側となる位置に、フットレスト部２２を付勢するコイルスプリング５３を配置するようにしてもよい。
【００５２】
・上記第２実施形態において、エアバッグ７１は、フットレスト部２２において使用者の足先６１における踵寄りとなる部分に対応する部分を付勢するようにしてもよい。
・上記各実施形態において、オットマン１４は、レッグレスト部２１を省略した構成としてもよい。
【００５３】
・上記各実施形態において、フットレスト部２２を、使用者の足先６１に対して接近させる方向に直線的に移動させる構成としてもよい。すなわち、フットレスト部２２に設けられたヒータ２９が使用者の足先６１に対して接近可能な構成であれば、フットレスト部２２の移動方向として任意の方向を採用することができる。
・上記各実施形態において、使用者の足先６１がフットレスト部２２に挿入されていない場合に、レッグフレーム体４１とフットフレーム体４２とが鋭角又は鈍角をなすように交差した位置関係となるようにしてもよい。
【００５４】
（課題を解決するための手段に関する付記）
〔付記１〕
使用者の足先を保持しつつ変位可能に構成されたフットレスト部と、
前記フットレスト部に設けられ、前記足先に温熱を付与可能に発熱するヒータと、
前記足先が前記フットレスト部に保持された状態において、前記ヒータが前記足先に対して密着する方向に前記フットレスト部を付勢する付勢手段とを備え、
前記付勢手段であるエアバッグは前記ヒータを挟んで前記足先とは反対側に配置される
マッサージ機。
〔付記２〕
前記フットレスト部は前記フットレスト部に保持された前記使用者の足先における踵寄りとなる部分に対応する位置に設けられた回動軸を中心として回動自在に構成され、
前記付勢手段は前記回動軸を中心として前記フットレスト部を回動させるように付勢する
付記１に記載のマッサージ機。
〔付記３〕
前記フットレスト部は使用者の脚部を保持するレッグレスト部に対して回動可能に連結され、
前記付勢手段は、前記フットレスト部において前記使用者の足裏を支持する足裏支持面が前記レッグレスト部において前記使用者の脚部を支持する脚部支持面に対して交差する角度が小さくなる回動方向に前記フットレスト部を付勢する
付記２に記載のマッサージ機。
〔付記４〕
前記付勢手段は前記フットレスト部において前記フットレスト部に保持された前記足先におけるつま先寄りとなる部分に対応する部分を付勢する
付記２または３に記載のマッサージ機。
〔付記５〕
前記フットレスト部は、前記ヒータを覆うカバーを有し、
前記カバーは、熱伝導性の高い材料によって構成される
付記１〜４のいずれか一項に記載のマッサージ機。
〔付記６〕
前記カバーは金属粉が織り込まれた織物によって構成される
付記５に記載のマッサージ機。
〔付記７〕
前記金属粉として銀が用いられている
付記６に記載のマッサージ機。
〔付記８〕
前記フットレスト部は前記ヒータを覆うカバーを有し、
前記カバーは互いに独立した第１織物及び第２織物が互いに重ね合わされて構成され、
前記第２織物は前記第１織物の表面において前記使用者の足裏に対応する部分に着脱可能に重ね合わされている
付記１〜７のいずれか一項に記載のマッサージ機。
【符号の説明】
【００５５】
１０  ：マッサージ機
１１  ：脚部
１２  ：座部
１３  ：背もたれ部
１３ａ：背もたれ部本体
１３ｂ：カバー部
１４  ：オットマン
１５  ：肘掛け部
２０  ：マッサージ機構
２０ａ：施療子
２１  ：レッグレスト部
２２  ：フットレスト部
２３  ：脹脛支持面（脚部支持面）
２４  ：側壁
２５  ：エアバッグ
２６  ：足裏支持面
２７  ：側壁
２８  ：挿通部
２９  ：ヒータ
３０  ：第１カバー（第１織物）
３１  ：第２カバー（第２織物）
３２  ：第１面ファスナー
３３  ：第２面ファスナー
４１  ：レッグフレーム体
４１ａ：第１フレーム部
４１ｂ：第２フレーム部
４２  ：フットフレーム体
４２ａ：フレーム部
４２ｂ：フレーム部
４３  ：連結支持部
４４  ：第１連結部材
４５  ：第２連結部材
４６  ：挿通孔
４７  ：回動軸
４８  ：第１当接面
４９  ：第２当接面
５０  ：ストッパ面
５１  ：取付金具
５２  ：取付金具
５３  ：コイルスプリング
６１  ：足先
７０  ：延出部材
７１  ：エアバッグ
Ｓ１  ：回動軸線
【図１】
0005845451.tif 000002
【図２】
0005845451.tif 000003
【図３】
0005845451.tif 000004
【図４】
0005845451.tif 000005
【図５】
0005845451.tif 000006
【図６】
0005845451.tif 000007
【図７】
0005845451.tif 000008